(57)【特許請求の範囲】
【請求項１】
石材で形成された箱状本体部の開口部に左右の扉を開閉自在に取付け、前記扉の回転中心にプラスチックを流し込んで軸受部を形成し、箱状本体部の底板から上方に突設した支持軸を前記軸受部に挿着して、扉を閉じた状態で、扉の側面が箱状本体部の左右側板に当接する墓前用収納容器の扉開閉機構において、前記箱状本体部の左右側板に近接する扉の側面に、プラスチックを流し込んで雌ネジを形成し、この雌ネジに、雄ネジで形成された調整ストッパーを可動自在に螺合させ、この調整ストッパーの突出長さを調整して、扉を閉じた状態で、左右の扉前面を平面状に保持するようにしたことを特徴とする墓前用収納容器の扉開閉機構。
【請求項２】
調整ストッパーが金属で形成されていることを特徴とする請求項１記載の墓前用収納容器の扉開閉機構。
【発明の詳細な説明】
【０００１】
【発明の属する技術分野】
本発明は墓前用収納容器の扉を閉じた状態で平面状に保持するようにした扉開閉機構に関するものである。
【０００２】
【従来の技術】
墓前用収納容器は、石材で形成された箱状本体部の開口部に、扉を開閉自在に取付けて石塔の前などに設置され、内部に線香を立てる香炉や、蝋燭立て、鈴などを収納するようになっている。この墓前用収納容器１の扉開閉機構は、図９に示すように、石材で形成された箱状本体部２の前面開口部３に扉４Ａ、４Ｂが開閉自在に取付けられている。
【０００３】
前記扉扉４Ａ、４Ｂの回転中心には、図１０に示すように、プラスチックを流し込んで軸受部５を形成し、箱状本体部２の底板６から上方に突設した金属製の支持軸７を前記軸受部５に挿着して、扉４Ａ、４Ｂを左右に開閉自在に支持するようになっている。
【０００４】
しかしながら、この墓前用収納容器１の扉４Ａ、４Ｂを組立てる場合、扉４Ａ、４Ｂは石材で形成され、機械部品のように正確な寸法に加工することが難しく、また軸受部５を構成する円筒孔９も機械部品のように正確な位置に正確な直径で、垂直に開孔することができない。このため円筒孔９の内径を支持軸７の直径より十分に大きく形成し、図示しない軸形成用治具を円筒孔９に挿着してプラスチックを流し込んでから治具を引き抜いて軸受部５を成形していた。
【０００５】
このように加工した扉４Ａ、４Ｂを組立てると図１１に示すように、扉４Ａ、４Ｂを閉じた時に、この側面が左右の側板１０Ａ、１０Ｂの内壁面に当接して停止するが、前述のように扉４Ａ、４Ｂが正確な形状に加工されていないので、左右側板１０Ａ、１０Ｂの内壁との当接部分が左右で異なり、扉４Ａ、４Ｂの前面がずれて平板状に閉じず、その調整作業が面倒であった。
【０００６】
【発明が解決しようとする課題】
本発明は上記問題点を改善し、左右の扉を閉じた時に、前面が平板状に揃って閉じるように簡単に調整できる墓前用収納容器の扉開閉機構を提供するものである。
【０００７】
【課題を解決するための手段】
本発明の請求項１記載の墓前用収納容器の扉開閉機構は、石材で形成された箱状本体部の開口部に左右の扉を開閉自在に取付け、前記扉の回転中心にプラスチックを流し込んで軸受部を形成し、箱状本体部の底板から上方に突設した支持軸を前記軸受部に挿着して、扉を閉じた状態で、扉の側面が箱状本体部の左右側板に当接する墓前用収納容器の扉開閉機構において、前記箱状本体部の左右側板に近接する扉の側面に、プラスチックを流し込んで雌ネジを形成し、この雌ネジに、雄ネジで形成された調整ストッパーを可動自在に螺合させ、この調整ストッパーの突出長さを調整して、扉を閉じた状態で、左右の扉前面を平面状に保持するようにしたことを特徴とするものである。
【０００８】
本発明の請求項２記載の墓前用収納容器の扉開閉機構は、調整ストッパーが金属で形成されていることを特徴とするものである。
【０００９】
【発明の実施の形態】
以下本発明の実施の一形態を図１ないし図５を参照して詳細に説明する。先ず図１に示すように、底部に載置板１２を形成した平面略Ｌ字形の扉４Ａ、４Ｂを加工する。次にこの肉厚部１３の内側に、底面から円筒孔９を開孔すると共に、側面上部に円筒孔１５を横方向に開孔する。また扉４Ａ、４Ｂの重なり部分となる端部近傍に取っ手取付孔１６も開孔しておく。
【００１０】
次に図２に示すように、側面上部に開孔した円筒孔１５を上方に向けて、ここに雌ネジ成形用のボルト１７を挿着する。この後、円筒孔１５にプラスチック２０を流し込んで、固化させてから雌ネジ成形用のボルト１７を捩って取外すと、雌ネジ２１が形成される。また肉厚部１３の底面から開口した円筒孔９に図示しない軸形成用治具を挿着して、ここにプラスチックを流し込んでから軸形成用治具を引き抜いて図３に示すように軸受部５を形成する。
【００１１】
この後、取っ手取付孔１６に取っ手２４を取付けると共に、前記雌ネジ２１に、ステンレス製の雄ネジ２３で形成した調整ストッパー２５を螺合させる。このように扉４Ａ、４Ｂを製造してから、図５に示すように墓前用収納容器１の底板６に貫通した軸取付孔の下方から支持軸７を上方に貫通させてナットで垂直に固定する。この後、底板６の両側に左右の側板１０Ａ、１０Ｂを立設させて接着剤で固定する。次に扉４Ａ、４Ｂの軸受部５に支持軸７を挿着して扉４Ａ、４Ｂを開閉自在に支持する。
【００１２】
次いで扉４Ａ、４Ｂを開いた状態で、箱状本体部２の背面側から、調整ストッパー２５に、ドライバーを差し込んで回転させ、扉４Ａ、４Ｂが閉じた時に前面が平板状に閉じるように、調整ストッパー２５の突出長さを調整する。
【００１３】
この後、背面板２６と上面板２７を取付けて図９に示す墓前用収納容器１を完成する。従って、石材で形成され、機械部品のように正確な寸法に加工することが難しい扉４Ａ、４Ｂの側面に調整ストッパー２５を可動自在に取付けて、その突出長さを調整することにより、扉４Ａ、４Ｂが閉じた時に前面を平板状に閉じることができる。
【００１４】
調整ストッパー２５となる雄ネジ２３は、ステンレスで形成されているので耐食性や耐衝撃性に優れている。また調整ストッパー２５はプラスチック２０で形成した雌ネジ２１に螺合して支持されているので、扉４Ａ、４Ｂを閉める時に、調整ストッパー２５の先端が、石材で形成された側板１０Ａ、１０Ｂと衝突しても、衝突音がプラスチック２０で吸収されて音を小さくすることができる。
【００１５】
図６ないし図８は、墓を囲む外柵の正面の左右に取付ける親柱２９に適用した場合の本発明の他の実施の形態を示すものである。この親柱２９は内部が中空の箱状本体部２の側面に開口部３を形成し、ここに扉４Ａ、４Ｂを開閉自在に取付けたものである。
【００１６】
扉４Ａ、４Ｂの側面には図４と同様に、プラスチック２０を流し込んで成形した雌ネジ２１と、ここに螺合させた調整ストッパー２５が設けられている。扉４Ａ、４Ｂを図７に示すように開いた状態で、箱状本体部２の背面側から、調整ストッパー２５の先端にドライバーを差し込んで回転させて、調整ストッパー２５の突出長さを、図８に示すように扉４Ａ、４Ｂが閉じた時に前面が揃った平板状に閉じるように調整する。
【００１７】
なお上記説明では雄ネジ２３をステンレスで形成した場合について示したが、他の金属でも良く、またプラスチックで形成したものでも良い。
【００１８】
【発明の効果】
以上説明した如く本発明に係る請求項１記載の墓前用収納容器の扉開閉機構によれば、左右側板に近接する扉の側面に、プラスチックを流し込んで雌ネジを形成し、この雌ネジに、雄ネジで形成された調整ストッパーを可動自在に螺合させ、この調整ストッパーの突出長さを調整することにより、正確な寸法に加工することが難しい石材製の扉を閉じた時に、左右扉の前面が平板状に揃うように簡単に調整することができる。
【００１９】
また請求項２記載の墓前用収納容器の扉開閉機構によれば、金属で形成された調整ストッパーは、プラスチックで形成した雌ネジに螺合して支持されているので、扉を閉める時に、調整ストッパーの先端が、石材で形成された側板と衝突しても、衝突音がプラスチックで吸収されて音を小さくすることができる。
【図面の簡単な説明】
【図１】本発明の実施の一形態による石材を加工した扉を示す斜視図である。
【図２】図１の扉の側面に開孔した円筒孔に、雌ネジ成形用のボルトを挿着し、プラスチックを流し込んで雌ネジを形成している状態を示す断面図である。
【図３】扉の側面に形成した雌ネジに調整ストッパーを取付けた状態を示す斜視図である
【図４】調整ストッパーと側板が当接している状態を示す断面図である。
【図５】扉が閉じた状態の墓前用収納容器を示す水平断面図である。
【図６】内部が収納容器となっている親柱を示す斜視図である。
【図７】図６の水平断面図である。
【図８】扉が閉じた状態を示す親柱の水平断面図である。
【図９】従来の墓前用収納容器を示す斜視図である。
【図１０】図９の垂直断面図である。
【図１１】扉が閉じた状態の墓前用収納容器を示す水平断面図である。
【符号の説明】
１ 墓前用収納容器
２ 箱状本体部
３ 開口部
４Ａ、４Ｂ  扉
５ 軸受部
６ 底板
７ 支持軸
８ 円筒孔
１０Ａ、１０Ｂ  側板
１３ 肉厚部
１５ 円筒孔
１６ 取っ手取付孔
１７ 雌ネジ成形用のボルト
２０ プラスチック
２１ 雌ネジ
２３ 雄ネジ
２４ 取っ手
２５ 調整ストッパー
２６ 背面板
２７ 上面板
２９  親柱
【図１】
0003736682.tif 000002
【図２】
0003736682.tif 000003
【図３】
0003736682.tif 000004
【図４】
0003736682.tif 000005
【図５】
0003736682.tif 000006
【図６】
0003736682.tif 000007
【図７】
0003736682.tif 000008
【図８】
0003736682.tif 000009
【図９】
0003736682.tif 000010
【図１０】
0003736682.tif 000011
【図１１】
0003736682.tif 000012